【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
流路を有するバルブ本体と；
空間をあけて対向する位置関係にある第一の軸部と第二の軸部と、前記第一の軸部と第二の軸部との間にある中間部材と、支持板とを有するバルブ軸組立体であって、前記支持板は前記バルブ軸組立体に固定されており、前記第一と第二の軸部は前記バルブ軸組立体を前記バルブ本体に回転可能に結合しており、前記中間部材は前記流路と流体的に連通するチャンバーを形成しており、前記支持板はバルブ閉位置において前記流路を通る流体流れの方向にほぼ直角になるように前記チャンバー内に配設されたバルブ軸組立体と；
前記支持板に固定されたバルブ板であって、該バルブ板は内部部分と前記内部部分の半径方向外側のフランジとを有し、前記フランジは前記支持板から離れる方向に向いているバルブ板と；
前記流路内に配設されたチューブとを備える；
バタフライバルブ。
【請求項２】
前記チューブは、前記流路の一方の端部方向で、前記軸に対して空間をあけた位置関係で、ハウジングに付着した部分で始まり、前記チューブは前記バルブ板の一部をおおうように摩擦適合又は隙間適合された、前記軸組立体の中心線の近傍の位置まで延在する、請求項１に記載のバタフライバルブ。
【請求項３】
前記バルブ板は前記内部部分の半径方向外側で前記フランジの半径方向内側のテーパ付き厚さ部を含む、請求項１又は請求項２に記載のバタフライバルブ。
【請求項４】
前記バルブ板は全閉位置と全開位置との間で約９０度回転可能な、請求項１乃至請求項３のいずれか１項に記載のバタフライバルブ。
【請求項５】
前記第一と第二の軸部と、前記中間部材と、前記バルブ軸組立体の前記支持板は、一体的に形成されている、請求項１乃至請求項４のいずれか１項に記載のバタフライバルブ。
【請求項６】
前記バラフライバルブは、開位置にあるとき、前方向と逆方向の両方の流れ方向において等しい流れ面積を有する、請求項１乃至請求項５のいずれか１項に記載のバタフライバルブ。
【請求項７】
前記チューブと前記バルブ板は各々、前方向と逆方向の流体圧力差に関して半径方向の偏向を有し、前記チューブと前記フランジの前記半径方向の偏向は互いにほぼ等しい、請求項１乃至請求項６のいずれか１項に記載のバタフライバルブ。
【請求項８】
前記支持板の円形部は前記バルブ板の半径よりも小さい半径を有する、請求項１乃至請求項７のいずれか１項に記載のバタフライバルブ。
【請求項９】
前記バルブ軸組立体はさらに、前記支持板と前記中間部材の間に挿入配置された、少なくとも一つの支持ウエブを含み、前記少なくとも一つの支持ウエブは前記中間部材と一体的に形成されている、請求項１乃至請求項８のいずれか１項に記載のバタフライバルブ。
【請求項１０】
前記バルブ板は孔を含み、前記支持板はネジ付き凹所を含み、前記バルブ板は、前記孔を通して前記ネジ付き凹所内にねじ込まれるネジ部材により、前記支持板に固定された、請求項１乃至請求項９いずれか１項に記載のバタフライバルブ。
【請求項１１】
前記チューブは、前記流路を通る流体の方向を横切る長円形の断面を有するように、偏向可能な、請求項１乃至請求項１０のいずれか１項に記載のバタフライバルブ。
【請求項１２】
流量低減メカニズムが前記バルブ軸組立体に固定されている、請求項１乃至請求項１１のいずれか１項に記載のバタフライバルブ。 
【請求項１３】
前記バタフライバルブは、アクチュエータに作動可能に結合され、前記アクチュエータは前記バタフライバルブを開位置と閉位置との間で動かすように適合された、請求項１乃至請求項１２のいずれか１項に記載のバタフライバルブ。
【請求項１４】
前記バタフライバルブは、偏向部材に作動可能に結合され、前記偏向部材は、前記アクチュエータが動力喪失したとき、前記バラフライバルブを前記開位置と前記閉位置との一方に動かすようにあらかじめ負荷がかけられている、請求項請求項１３に記載のバタフライバルブ。
【請求項１５】
前記チューブと前記バルブ板との少なくとも一方にコーティングがされている、請求項１乃至請求項１４のいずれか１項に記載のバタフライバルブ。
【請求項１６】
前記軸組立体は、前記バルブが前記全閉位置にあるとき、前記チューブの直径の外側の位置に材料を有する、請求項１乃至請求項１５のいずれか１項に記載のバタフライバルブ。
【請求項１７】
前記バルブ軸組立体は前記軸組立体内の前記チャンバーの一部の中にあり、且つその一部を塞ぐ材料を有する、請求項１乃至請求項１６のいずれか１項に記載のバタフライバルブ。
【請求項１８】
前記バルブ軸組立体の回転中心線は前記バルブ板の突出部の外径と同一平面にある、請求項１乃至請求項１７のいずれか１項に記載のバタフライバルブ。
【請求項１９】
前記バルブ軸組立体の回転中心線は、前記バルブ板の突出部の外径を二等分する、請求項１乃至請求項１８のいずれか１項に記載のバタフライバルブ。
【請求項２０】
前記バルブ軸組立体の回転中心線は、前記バルブ板の突出部の外径と同一平面にない、請求項１乃至請求項１７のいずれか１項に記載のバタフライバルブ。
【請求項２１】
前記バルブ軸組立体の回転中心線は、前記バルブ板の突出部の外径を二等分しない、請求項１乃至請求項１８のいずれか１項に記載のバタフライバルブ。
【請求項２２】
前記フランジは前記支持板の方向に向いている、請求項１乃至請求項２１のいずれか１項に記載のバタフライバルブ。
【請求項２３】
流路と、軸孔と、凹所とが形成されたバルブ本体であって、前記軸孔は前記流路を横切る方向に形成され、前記軸穴は前記凹所と空間をあけて対向する位置関係にあり、且つ同芯である、バルブ本体と；
空間をあけて対向する位置関係にある第一の軸部と第二の軸部と、中間部材と、支持板とを有するバルブ軸組立体であって、前記第一の軸部は前記軸孔中に回転可能に延在し、前記第二の軸部は前記凹所に回転可能に位置づけられ、前記中間部材は前記第一と第二の軸部の間に配設されて前記流路と流体的に連通するチャンバーを形成しており、前記支持板はバルブ閉位置において前記流路を通る流体流れの方向にほぼ直角に前記チャンバー内に配設されたバルブ軸組立体と；
前記支持板に固定されたバルブ板であって、前記バルブ板は内部部分と前記内部部分の半径方向外側のフランジとを有し、前記フランジは前記支持板から離れる方向に向いているバルブ板と；
前記流路内に配設されたチューブであって、前記チューブは前記流路と摩擦嵌合されあるいは流路にしっかり留められており、前記フランジの少なくとも一部をおおって摩擦適合しているチューブとを備え；
前記支持板の丸み部と前記バルブ板の対応する部分は、回転可能に前記チューブ内にあって前記バルブを開位置に置き、前記チューブの一端の位置に回転可能にあって前記バルブを閉位置におく；
バタフライバルブ。
【請求項２４】
前記チューブと前記バルブ板は、前記バルブボンネットを前記バルブ本体から外すことなく交換可能に構成された、請求項２３に記載のバタフライバルブ。
【請求項２５】
前記チューブと前記バルブ板の少なくとも一方は耐侵食性のコーティング及び耐腐食性のコーティングの少なくとも一方を施された、請求項２３又は請求項２４に記載のバタフライバルブ。
【請求項２６】
前記バルブ板は前記支持板に少なくとも一つのネジ付き部材によって固定され、前記チューブと前記バルブ板は前方への流れ方向において半径方向に均等の偏向が可能であり、且つ逆の流れ方向において半径方向に均等の偏向が可能である、請求項２３乃至請求項２５のいずれか１項に記載のバタフライバルブ。
【請求項２７】
前記チューブの一端は前記第一と第二の軸部のほぼ中心線で終わっている、請求項２３乃至請求項２６のいずれか１項に記載のバタフライバルブ。
【請求項２８】
ボールバルブハウジングに使用するためのバタフライバルブ軸組立体であって；
第一の軸部と；
前記第一の軸部と空間をあけて対向する位置関係にある第二の軸部と；
前記第一と第二の軸部の間の中間部材であって、それを通るチャンバーを有する中間部材と；
バルブ閉位置において、流路を通る流体流れの方向にほぼ垂直にチャンバー内に配設された支持板と；
前記支持板に固定されたバルブ板とを備える；
バタフライバルブ軸組立体。
【請求項２９】
前記バルブ板は、内部部分と前記内部部分の半径方向外側にあるフランジとを有し、前記フランジは前記支持板から離れる方向、或いは、前記支持板に向かう方向のいずれか一方に向いている、請求項２８に記載のバタフライバルブ軸組立体。
【請求項３０】
前記フランジは半径方向外側に出っ張った突出部を含み、前記突出部は前記フランジ円周回りに進み、チューブが前記突出部の少なくとも一部をおおうように、摩擦適合と隙間適合の一方で適合している、請求項２９に記載のバタフライバルブ軸組立体。
【請求項３１】
前記ボールバルブハウジングは、流路を有し、前記バタフライバルブ軸組立体は、さらに前記流路内に配設されるに適したチューブを備え、前記チューブは前記フランジの少なくとも一部をおおうように、摩擦適合又は隙間適合している、請求項２９に記載のバタフライバルブ軸組立体。
【請求項３２】
前記チューブは円筒形であり、前記支持板と前記バルブ板の少なくとも一方は長円形であり、前記チューブは、前記流路を通る流体流れの方向を横切る長円形の断面を有するように偏向可能である、請求項３１に記載のバタフライバルブ軸組立体。
【請求項３３】
前記チューブと前記バルブ板の少なくとも一方は、低い閉バルブアクチュエータ力と漏れの無い閉止の少なくとも一方が不要なときに、半径方向に剛である、請求項３１又は請求項３２に記載のバタフライバルブ軸組立体。
【請求項３４】
前記バルブ板と前記支持板は互いに一体的に形成されている、請求項２８乃至請求項３３のいずれか１項に記載のバタフライバルブ軸組立体。
【請求項３５】
流路を有するバルブ本体と；
空間をあけて対向する位置関係にある第一の軸部と第二の軸部と、前記第一の軸部と第二の軸部との間にある中間部材とを有するバルブ軸組立体であって、該バルブ軸組立体に固定された支持板とを有し、前記第一と第二の軸部は前記バルブ軸組立体を前記バルブ本体に回転可能に結合しており、前記中間部材は前記流路と流体的に連通するチャンバーを形成しており、前記支持板はバルブ閉位置において前記流路を通る流体流れの方向にほぼ直角になるように前記チャンバー内に配設されたバルブ軸組立体と；
前記支持板に固定されたバルブ板であって、該バルブ板は半径方向に剛の部分を有するバルブ板と；
前記流路内に配設されたチューブであって、前記バルブ板の少なくとも一部をおおうように摩擦適合又は隙間適合をしているチューブとを備える；
バタフライバルブ。